(57)【要約】【課題】プラスチックフレームの補強が容易な液晶表示装置を提供する。【解決手段】プラスチックフレーム１１の収容凹部１４の底面部１２に補強プレート２１を取り付ける。収容凹部１４にバックライト３および液晶パネル１を対向させて収容する。プラスチックフレーム１１にベゼル３１を取り付け、ベゼル３１の開口部３３から液晶パネル１の表示部２を露出させる。プラスチックフレーム１１の嵌合片部１３のねじ止め孔１９を設ける。ベゼル３１の外周片部３４にねじ挿入孔３５を設ける。嵌合片部１３と外周片部３４とをねじ止め孔１９およびねじ挿入孔３５を介して互いに固定する。プラスチックフレーム１１を簡単な構成で補強できる。プラスチックフレーム１１の補強を容易にできる。【選択図】        図１
2004258291.tif 000002
【特許請求の範囲】
【請求項１】
透光性を有する平面表示パネルと、
この平面表示パネルに対向して配設され、この平面表示パネルへと光を照射させる面光源部と、
前記平面表示パネルおよび面光源部が内側に収容される側壁、およびこの側壁に設けられた貫通孔を有するフレームと、
前記平面表示パネルを露出させて前記フレームが内側に取り付けられる側壁、およびこの側壁に設けられ前記フレームの貫通孔に連通する貫通孔を備えたベゼルと
を備えた平面表示装置であって、
前記フレームは、このフレームに沿って形成された補強部材を有し、
前記フレームの側壁と、前記ベゼルの側壁とが、これらフレームおよびベゼルそれぞれの前記貫通孔を介して互いに固定された
ことを特徴とした平面表示装置。
【請求項２】
フレームは、樹脂製であり、
補強部材は、金属製である
ことを特徴とした請求項１記載の平面表示装置。
【請求項３】
補強部材は、フレームの側壁の内側から、このフレームの外側へと突出し、このフレームの側壁とベゼルの側壁との間に挟まれて固定された
ことを特徴とした請求項１または２記載の平面表示装置。
【請求項４】
面光源部は、光を発する光源を備え、
補強部材は、前記光源に対向して取り付けられた
ことを特徴とした請求項１ないし３いずれか記載の平面表示装置。
【請求項５】
収容部は、平面表示パネルおよび面光源部が収容される凹状に形成され、
補強部材は、前記収容部内に収容された前記平面表示パネルおよび面光源部の少なくともいずれか一方の一主面および側面を覆っている
ことを特徴とした請求項１ないし４いずれか記載の平面表示装置。
【請求項６】
収容部は、この収容部の内側に取り付けられた補強部材の縁部が貫通し、この補強部材の縁部を前記収容部の外側へと突出させる溝部を備えた
ことを特徴とした請求項１ないし５いずれか記載の平面表示装置。
【発明の詳細な説明】
【０００１】
【発明の属する技術分野】
本発明は、面光源部からの光を平面表示パネルに照射させる平面表示装置に関する。
【０００２】
【従来の技術】
従来、この種の平面表示装置としての液晶表示装置は、透光性を有する平面表示パネルとしての矩形平板状の液晶パネルを備えており、この液晶パネルの裏面側には、この液晶パネルへと面状の光を照射させる面光源部としての矩形平板状のバックライトが取り付けられている。そして、このバックライトは、液晶パネルの裏面側に重ね合わせるように対向して配設されている。
【０００３】
また、このバックライトは、底面を有する矩形枠状のプラスチックフレームの表面側に形成された断面凹状の収容部としての収容凹部内に収容されている。そして、このプラスチックフレームの収容凹部には、この収容凹部内に収容されたバックライトの表面側に対向して液晶パネルが配設されている。
【０００４】
さらに、このプラスチックフレームの表面側には、このプラスチックフレームの外側を覆うように矩形枠状のベゼルが取り付けられている。このベゼルは、各辺の断面がＬ字状に形成されており、このベゼルの中央部には、略矩形状の開口部としての表示窓が開口されている。すなわち、このベゼルは、このベゼルの表示窓から液晶パネルの表示部を露出させてプラスチックフレームの表側に取り付けられている（例えば、特許文献１参照。）。
【０００５】
【特許文献１】
特開２００１−７５０９４号公報（第３頁および図２）
【０００６】
【発明が解決しようとする課題】
しかしながら、上述した液晶表示装置では、近年におけるプラスチックフレームの狭額縁化によって、このプラスチックフレームの厚さを設計上できる限り薄くする必要がある。特に、この液晶表示装置が１７型以上の大型モニタ用である場合には、高視野角および高色純度の対応のために液晶パネルの透過率が低く、さらにはこの液晶パネルの高輝度化の要求を踏まえることにより、この液晶パネルへと光を照射させるバックライトが相当に厚くなって重くなってしまう。
【０００７】
このため、これらバックライトおよび液晶パネルを支えるプラスチックフレームの厚さを薄くした場合には、このプラスチックフレームがバックライトおよび液晶パネルの自重により損傷しやすくなる。したがって、このプラスチックフレームの強度確保が容易ではないから、このプラスチックフレームの補強が容易ではないという問題を有している。
【０００８】
本発明は、このような点に鑑みなされたもので、フレームの補強を容易にできる平面表示装置を提供することを目的とする。
【０００９】
【課題を解決するための手段】
本発明は、透光性を有する平面表示パネルと、この平面表示パネルに対向して配設され、この平面表示パネルへと光を照射させる面光源部と、前記平面表示パネルおよび面光源部が内側に収容される側壁、およびこの側壁に設けられた貫通孔を有するフレームと、前記平面表示パネルを露出させて前記フレームが内側に取り付けられる側壁、およびこの側壁に設けられ前記フレームの貫通孔に連通する貫通孔を備えたベゼルとを備えた平面表示装置であって、前記フレームは、このフレームに沿って形成された補強部材を有し、前記フレームの側壁と、前記ベゼルの側壁とが、これらフレームおよびベゼルそれぞれの前記貫通孔を介して互いに固定されたものである。
【００１０】
そして、透光性を有する平面表示パネルと、この平面表示パネルに対向して配設され、この平面表示パネルへと光を照射させる面光源部とが側壁の内側に収容されるフレームに沿って補強部材を形成する。このフレームの側壁とベゼルの側壁とを、これら側壁のそれぞれに設けられた貫通孔を介して互いに固定する。このため、このフレームを簡単な構成で補強できるから、このフレームの補強を容易にできる。
【００１１】
【発明の実施の形態】
以下、本発明の平面表示装置としての液晶表示装置の第１の実施の形態を図１ないし図３を参照して説明する。
【００１２】
図１ないし図３において、１は平面表示パネルとしての略矩形平板状の液晶パネルであり、この液晶パネル１は、透過型あるいは半透過型で、１７型以上、例えば２１型の、いわゆる大型モニタ用である。また、この液晶パネル１は、各表示画素に薄膜トランジスタ（Ｔｈｉｎ  Ｆｉｌｍ  Ｔｒａｎｓｉｓｔｏｒ：ＴＦＴ）を備えたアクティブマトリクス型であり、図示しないプリント基板から供給される電気信号によって所望の画像を表面中央に設けられた表示部２に表示する。
【００１３】
一方、この液晶パネル１の裏面側には、この液晶パネル１の裏面側へと面状の光を照射する面光源部としてのバックライト３が重ね合わせるように配設されている。このバックライト３は、線状の光を発する線状光源体としての細長円筒状の放電ランプ４を備えている。この放電ランプ４の軸方向における両端部は、球面状に封止されて封止部５とされている。そして、これら封止部５は、細長断面矩形状のキャップ体としてのゴムキャップ６の長手方向における一端部に垂直に嵌合されている。
【００１４】
さらに、この放電ランプ４の径方向に沿った側部には、この放電ランプ４から照射される線状の光を面状の光である面状光源に変換する面状光源変換体としてのライトガイドである矩形平板状の導光板７が面方向における一側面を対向させて配設されている。
【００１５】
また、この導光板７は、液晶パネル１の長手寸法よりも小さな長手寸法を有しているとともに、この液晶パネル１の幅寸法よりも小さな幅寸法を有している。さらに、この導光板７は、放電ランプ４の軸方向に長手方向を平行に位置させた状態で、この放電ランプ４の軸方向に沿って配設されている。また、この導光板７は、液晶パネル１の表面部３の裏面側に表面側を対向させて接着固定されている。
【００１６】
ここで、この液晶パネル１と導光板７との間には、略矩形シート状の図示しない光学シートが介在された状態で配設されている。この光学シートは、導光板７からの面状の光分布を拡散させ、あるいは集光して液晶パネル１の裏面側へと略均等に入射させる。
【００１７】
また、この導光板７における液晶パネル１の裏面に対向して配設される側の反対側である裏面側には、図示しないプリズムが一体的に形成されており、このプリズムは、放電ランプ４から遠ざかるに連れて徐々に可変されて階段状に形成されている。なお、この導光板７は、ポリカーボネイト、アクリル、あるいはシクロオレフィンポリマなどの耐熱透明樹脂にて成形された樹脂成形材である。
【００１８】
さらに、放電ランプ４における導光板７の対向した側は、高反射率の金属板である図示しないリフレクタにて覆われている。このリフレクタは、放電ランプ４を導光板７の上下方向の下端部に対して、この放電ランプ４の周方向に沿って覆っており、この放電ランプ４からの光が反射して導光板７側以外の方向に向けて拡散した光を高反射率にて導光板７側に向けて反射させる。
【００１９】
一方、裏面側にバックライト３が固定されてモジュール化された液晶パネル１は、樹脂製のプラスチックフレーム１１に収容されている。このプラスチックフレーム１１は、有底略矩形枠状に形成されており、両側部にて液晶パネル１およびバックライト３を支持する。そして、このプラスチックフレーム１１の中央部には、このプラスチックフレーム１１の底面を構成する矩形平板状の底面部１２が形成されている。さらに、この底面部１２の外周縁には、プラスチックフレーム１１の表面側に向けて垂直に突出した側壁としての嵌合片部１３が設けられている。この嵌合片部１３は、底面部１２の周方向に沿った断面矩形筒状に形成されている。
【００２０】
このため、この嵌合片部１３と底面部１２とによって、断面凹状の収容部としての収容凹部１４が形成されている。この収容凹部１４の基端部における幅寸法および長手寸法のそれぞれは、バックライト３の幅寸法および長手寸法に略等しい。よって、この収容凹部１４の基端部における底面部１２上である嵌合片部１３の内側には、バックライト３が収容されて、このバックライト３の長手方向が収容凹部１４により嵌合保持される。
【００２１】
また、この収容凹部１４の開口内縁には、周方向に沿った段状の取付段部１５が設けられている。ここで、この収容凹部１４の幅方向に沿って対向した取付段部１５間の幅寸法は、液晶パネル１の幅寸法に等しく形成されている。また、この収容凹部１４の長手方向に沿って対向した取付段部１５間の長手寸法は、液晶パネル１の長手寸法に等しく形成されている。このため、この収容凹部１４の取付段部１５には、液晶パネル１が収容されて、この液晶パネル１の長手方向および幅方向のそれぞれが取付段部１５にて嵌合保持される。
【００２２】
さらに、この収容凹部１４の幅方向における両側部の内側面には、この収容凹部１４の長手方向に沿った断面凹溝状の嵌合溝部１６が形成されている。この嵌合溝部１６は、プラスチックフレーム１１の底面部１２に連続して、収容凹部１４の内側面の開口内端縁に形成されている。さらに、この嵌合溝部１６の幅方向における一側部である先端側には、嵌合片部１３の厚さ方向に向けて、この嵌合片部１３の長手方向に沿って貫通した細長溝状の挿通溝部１７が形成されている。
【００２３】
また、プラスチックフレーム１１の嵌合片部１３の幅方向における両側部の外側面には、この嵌合片部１３の基端側に向けて周方向に沿って切り欠かれた段状の嵌合段部１８が形成されている。この嵌合段部１８は挿通溝部１７の基端側に連続して、嵌合片部１３の外側面の基端側に形成されている。さらに、この嵌合段部１８の先端縁は、嵌合溝部１６の先端縁に等しい高さに位置している。さらに、この嵌合段部１８における側方に向いた平面、すなわち嵌合片部１３に沿った平面には、この嵌合片部１３の厚さ方向に向けて貫通した貫通孔としてのねじ止め孔１９が穿設されている。このねじ止め孔１９は、両側部に位置する各嵌合片部１３の長手方向における両端部のそれぞれに設けられている。
【００２４】
そして、プラスチックフレーム１１の収容凹部１４の内側には、この収容凹部１４内の底面部１２を覆う平板状の補強部材としての補強板である金属製の補強プレート２１が取り付けられている。したがって、この補強プレート２１は、プラスチックフレーム１１と、このプラスチックフレーム１１の収容凹部１４に収容される導光板７との間に配設される。また、この補強プレート２１は、熱伝導率が高く、放熱性および剛性に優れ、プラスチックフレーム１１より硬質により成形されている。そして、この補強プレート２１は、プラスチックフレーム１１の収容凹部１４の内側から、この収容凹部１４の外側へと突出している。
【００２５】
さらに、この補強プレート２１は、収容凹部１４の底面部１２に等しい矩形平板状の本体部２２を備えている。この本体部２２は、プラスチックプレーム１１の収容凹部１４内に収容されるバックライト３の幅寸法に等しい幅寸法を有するとともに、このバックライト３の長手寸法に等しい長手寸法を有している。このため、この本体部２２は、プラスチックフレーム１１の収容凹部１４に収容されたバックライト３の裏面側の全体を覆っている。
【００２６】
したがって、この本体部２２の長手方向における一端部である下端部は、プラスチックフレーム１１の収容凹部１４に収容されたバックライト３の放電ランプ４に対向しており、この放電ランプ４の周囲にまで延出している。よって、この本体部２２は、放電ランプ４から光を照射させることにより生じる熱を放熱させる放熱板として機能する。
【００２７】
また、この本体部２２の幅方向における両側縁には、この本体部２２の幅方向における両側縁を表面側に向けて板金加工により垂直に折り曲げて壁部とされた内側片部２３が一体的に設けられている。これら内側片部２３は、本体部２２を収容凹部１４の底面部１２の内側に取り付けた状態で、この収容凹部１４の嵌合溝部１６に所定の間隙を介して嵌合されて取り付けられている。ここで、これら内側片部２３の内側面は、収容凹部１４の嵌合溝部１６に嵌合された際に、嵌合片部１３の内側面に沿っている。
【００２８】
このため、これら内側片部２３は、嵌合溝部１６の幅寸法に等しい幅寸法である高さ寸法を有しているとともに、この嵌合溝部１６の長手寸法に等しい長手寸法を有している。さらに、これら内側片部２３間の幅寸法は、バックライト３の導光板７の幅寸法に等しく、これら内側片部２３間にはバックライト３が収容されて保持される。したがって、これら内側片部２３間に収容保持されたバックライト３は、これら内側片部２３および本体部２２とによって、このバックライト３の裏面および幅方向における両側面のそれぞれが覆われて、このバックライト３の両側面が内側片部２３により嵌合保持される。
【００２９】
また、これら内側片部２３の先端縁には、これら内側片部２３の先端縁を外側に向けて板金加工により垂直に折り曲げて壁部とされた縁部としての挿通片部２４が一体的に設けられている。これら挿通片部２４は、本体部２２を収容凹部１４の底面部１２の内側に取り付けて、内側片部２３を収容凹部１４の嵌合溝部１６に嵌合させた状態で、この収容凹部１４の挿通溝部１７の内側から、この収容凹部１４の外側へと挿通されている。このため、これら挿通片部２４の幅寸法は嵌合片部１３の厚さ寸法に等しく、これら挿通片部２４の長手寸法は挿通溝部１７の長手寸法に等しい。また、これら挿通片部２４の厚さ寸法は挿通溝部１７の幅寸法に等しい。
【００３０】
さらに、これら挿通片部２４の先端縁には、これら挿通片部２４の先端縁を基端側に向けて板金加工により垂直に折り曲げて壁部とされた外側片部２５が一体的に設けられている。これら外側片部２５は、本体部２２を収容凹部１４の底面部１２の内側に取り付け、内側片部２３を収容凹部１４の嵌合溝部１６に嵌合させ、挿通片部２４を収容凹部１４の挿通溝部１７に挿通させた状態で、この収容凹部１４の嵌合段部１８に所定の間隙を介して嵌合されて取り付けられている。ここで、これら外側片部２５の外側面は、収容凹部１４の嵌合段部１８に嵌合された際に、嵌合片部１３の外側面に沿っている。
【００３１】
また、これら外側片部２５には、これら外側片部２５を収容凹部１４の嵌合段部１８に嵌合させた際に、この嵌合段部１８のねじ止め孔１９に連通する貫通孔としてのねじ挿通孔２６が穿設されている。これらねじ挿通孔２６は、各外側片部２５の厚さ方向に向けて貫通しており、これら各外側片部２５の長手方向における両端部のそれぞれに設けられている。
【００３２】
一方、補強プレート２１が取り付けられた収容凹部１４にバックライト３および液晶パネル１が対向して収容されてモジュール化されたプラスチックフレーム１１の表面側には、金属製のケース体としてのパネルケースであるベゼル３１が取り付けられている。このため、このベゼル３１は、補強プレート２１が取り付けられたプラスチックフレーム１１の収容凹部１４にバックライト３および液晶パネル１を収容させた状態で、このプラスチックフレーム１１の嵌合段部１８とにより補強プレート２１の外側片部２５を挟み込んで固定させる。
【００３３】
そして、このベゼル３１は矩形枠状の表面部３２を備えており、この表面部３２の中央には矩形状の開口部３３が開口されている。この開口部３３は、図１に示すように、表面部３２の内側に収容された液晶パネル１の表示部２を外部へと露出させる。したがって、この開口部３３は、液晶パネル１の幅寸法より小さな幅寸法を有しているとともに、この液晶パネル１の長手寸法より小さな長手寸法を有している。さらに、この開口部３３は、バックライト３の導光板７の幅寸法に等しい幅寸法を有しているとともに、この導光板７の長手寸法に等しい長手寸法を有している。
【００３４】
また、この開口部３３の周囲に設けられた外周縁には、この外周縁の周方向に沿って直角に突出した矩形筒状の周縁部としての側壁である外周片部３４が屈曲されて一体的に設けられている。そして、表面部３２の幅方向に沿って対向した外周片部３４間の幅寸法は、プラスチックフレーム１１の幅寸法に等しい。また、表面部３２の長手方向に沿って対向した外周片部３４間の長手寸法は、プラスチックフレーム１１の長手寸法に等しい。
【００３５】
このため、これら外周片部３４の内側には、補強プレート２１、バックライト３および液晶パネル１が収容されたプラスチックフレーム１１が、液晶パネル１の表示部２を開口部３３から露出させて嵌合されている。さらに、表面部３２の幅方向における両側に位置する外周片部３４には、これら外周片部３４の内側に嵌合されたプラスチックフレーム１１のねじ止め孔１９に連通する貫通孔としてのねじ挿入孔３５が穿設されている。
【００３６】
これらねじ挿入孔３５は、各外周片部３４の厚さ方向に向けて貫通しており、これら各外周片部３４の長手方向における両端部のそれぞれに設けられている。また、これらねじ挿入孔３５は、補強プレート２１が取り付けられたプラスチックフレーム１１をベゼル３１の内側に取り付けた際に、これら補強プレート２１のねじ挿通孔２６およびプラスチックフレーム１１のねじ止め孔１９のそれぞれに連通する。
【００３７】
そして、これらねじ挿入孔３５には、ねじ体４１の軸部４２が挿入されている。また、このねじ体４１の軸部４２は、補強プレート２１が取り付けられバックライト３および液晶パネル１が収容されたプラスチックフレーム１１をベゼル３１の内側に取り付けた状態で、補強プレート２１のねじ挿通孔２６を挿通して、プラスチックフレーム１１のねじ止め孔１９にねじ止めされて、これらベゼル３１、補強プレート２１およびプラスチックフレーム１１を互いにねじ止め固定させる。
【００３８】
次に、上記第１の実施の形態の液晶表示装置の動作を説明する。
【００３９】
まず、放電ランプ４から発光した線状の光は、リフレクタによる反射にて導光板７の側部へと照射されて、この導光板７の内部へと入射される。
【００４０】
そして、この導光板７の内部へと入射した光は、この導光板７の裏面に一体的に形成されたプリズムにて面状に変換されて、液晶パネル１の裏面側へと照射される。
【００４１】
この後、この液晶パネル１へと照射した面状の光は、この液晶パネル１を透過して使用者の目に入り、この液晶パネル１の表示部２にて表示している画像が使用者に視認される。
【００４２】
上述したように、上記第１の実施の形態によれば、バックライト３および液晶パネル１を支えるプラスチックフレーム１１の狭額縁化により、このプラスチックフレーム１１の厚さを薄くした場合には、このプラスチックフレーム１１の強度の確保が容易ではない。特に、このプラスチックフレーム１１が１７型以上の大型モニタ用の液晶表示装置に用いられる場合には、高視野角および高色純度の対応のために液晶パネル１の透過率が低くなってしまうとともに、この液晶パネル１の高輝度化の要求を踏まえることによりバックライト３の導光板７が相当に厚くなって重くなってしまう。
【００４３】
そこで、液晶パネル１およびバックライト３が嵌合されて収容されるプラスチックフレーム１１の収容凹部１４の底面部１２に、このプラスチックフレーム１１の強度を補強する金属製の補強プレート２１を取り付けて、この補強プレート２１にバックライト３を収容させる構成とした。このため、厚さを十分に薄くしたプラスチックフレーム１１であっても、補強プレート２１による補強によって、このプラスチックフレーム１１がバックライト３および液晶パネル１の自重によって損傷し難くなる。
【００４４】
したがって、このプラスチックフレーム１１の収容凹部１４の底面部１２に補強プレート２１を取り付けて、この補強プレート２１にてプラスチックフレーム１１の機能を補強し、この補強プレート２１の表面側にバックライト３を収容させて、このバックライト３とプラスチックフレーム１１との間に補強プレート２１を取り付けて収容させることにより、このプラスチックフレーム１１を簡単な構成で確実に補強できる。よって、このプラスチックフレーム１１の補強を容易にできるとともに、バックライト３の導光板７が厚くて重い場合であっても、このプラスチックフレーム１１を用いて固定できる。
【００４５】
このとき、比較的破損し易い液晶パネル１を、補強プレート２１を介することなくプラスチックフレーム１１の収容凹部１４の取付段部１５に直接嵌合させて収容させる構成とするとともに、比較的破損し難い導光板７を備えたバックライト３を、プラスチックフレーム１１の収容凹部１４に取り付けられた補強プレート２１の内側片部２３間に嵌合させて収容させる構成とした。このため、液晶パネル１への外部からの衝撃をプラスチックフレーム１１の嵌合片部１３の弾性変形によって柔らかく吸収できるとともに、重量が比較的大きいバックライト３の導光板７などへの外部からの衝撃を補強プレート２１の剛性にて確実かつ強固に受け止めることができる。
【００４６】
さらに、この補強プレート２１の下端部をバックライト３の放電ランプ４に対向する位置まで延出させたので、この放電ランプ４から光を照射させることにより生じる、この放電ランプ４からの発熱を補強プレート２１に熱伝導できる。したがって、この放電ランプ４からの発熱を補強プレート２１にて放熱できるので、この放電ランプ４からの発熱による、この放電ランプ４および液晶パネル１の破損を補強プレート２１にて簡単な構成で確実かつ容易に防止できる。また、この補強プレート２１の両端部をプラスチックフレーム１１の収容凹部１４の内側から外側へと突出させたので、この補強プレート２１に熱伝導された熱をより効率良く外部へと放熱できる。
【００４７】
このとき、補強プレート２１の両側部に位置する内側片部２３をプラスチックフレーム１１の嵌合溝部１６に嵌合させるとともに、これら内側片部２３の先端縁に位置する挿通片部２４をプラスチックフレーム１１の挿通溝部１７に挿通させて、これら挿通片部２４の先端縁に位置する外側片部２５をプラスチックフレーム１１の嵌合片部１３の外側へと突出させて、このプラスチックフレーム１１の嵌合段部１８に嵌合させたので、これら内側片部２３、挿通溝部２４および外側片部２５のいずれもが液晶パネル１とは接触しない。このため、補強プレート２１に熱伝導した熱が液晶パネル１へと熱伝導されることはないので、この液晶パネル１に放電ランプ４からの熱が熱伝導されることによる、この液晶パネル１の損傷を効率良く防止できる。
【００４８】
また、補強プレート２１の両側部を内側片部２３、挿通片部２４および外側片部２５と断面コ字状に折り曲げたことにより、この補強プレート２１自体の強度が向上する。このため、この補強プレート２１によるプラスチックフレーム１１の補強をより確実にできる。さらに、この補強プレート２１の外側片部２５をプラスチックフレーム１１の嵌合段部１８とベゼル３１の外周片部３４の内側面にて挟み込んでねじ止め固定させたので、この補強プレート２１によるプラスチックフレーム１１の補強をベゼル３１にて補うことができるとともに、これら補強プレート２１、プラスチックフレーム１１およびベゼル３１の接続を簡単にできるから、液晶表示装置の製造性を向上できる。
【００４９】
なお、上記第１の実施の形態では、液晶パネル１にて映像を表示させる液晶表示装置について説明したが、液晶パネル１以外の透光性を有する平面表示パネルによる平面表示装置にも対応させて用いることができる。
【００５０】
また、ベゼル３１とプラスチックフレーム１１との間に補強プレート２１を取り付けて、これらベゼル３１のねじ挿入孔３５とプラスチックフレーム１１のねじ止め孔１９とをねじ体４１にてねじ止めして、これらベゼル３１とプラスチックフレーム１１とを補強したが、図４に示す本発明の第２の実施の形態のように、これらベゼル３１のねじ挿入孔３５およびプラスチックフレーム１１のねじ止め孔１９を用いて、パーソナルコンピュータやモニタなどの筐体５１にステイ５２を介してベゼル３１を固定させて、この筐体５１に液晶表示装置である液晶（Ｌｉｑｕｉｄ  Ｃｒｙｓｔａｌ  Ｄｉｓｐｌａｙ：ＬＣＤ）モジュール５３を同時に固定することもできる。
【００５１】
詳細に説明すると、筐体５１は、矩形平板状の底面部５４の周縁に表面側に向けて矩形枠状の周縁部５５が設けられて構成されている。さらに、この筐体５１の底面部５４上には、この筐体５１の周縁部５５の内側である底面部５４上の中央部にベゼル３１を収容させた際に、このベゼル３１のねじ挿入孔３５に連通するねじ孔５６を備えた支持部材であるステイ５２が設けられている。
【００５２】
そして、このステイ５２のねじ孔５６をベゼル３１のねじ挿入孔３５およびプラスチックフレーム１１のねじ止め孔１９のそれぞれに連通させる。この状態で、このステイ５２のねじ孔５６の外側からねじ体４１の軸部４２を挿入させ、このねじ体４１の軸部４２をプラスチックフレーム１１のねじ止め孔１９に螺合させる。この結果、液晶モジュール５３の筐体５１への固定が同時に実現できるので、構成および組立て工程が簡略になり、製造性をより向上できる。
【００５３】
【発明の効果】
本発明によれば、平面表示パネルと面光源部とが側壁の内側に収容されるフレームに沿って補強部材を形成し、このフレームの側壁とベゼルの側壁とを、これら側壁のそれぞれに設けた貫通孔を介して互いに固定することにより、このフレームを簡単な構成で補強できるから、このフレームの補強を容易にできる。
【図面の簡単な説明】
【図１】本発明の平面表示装置の第１の実施の形態の一部を示す横断面図である。
【図２】同上平面表示装置を示す正面図である。
【図３】同上平面表示装置を示す縦断面図である。
【図４】本発明の第２の実施の形態の平面表示装置の一部を示す横断面図である。
【符号の説明】
１    平面表示パネルとしての液晶パネル
３    面光源部としてのバックライト
４    光源としての放電ランプ
１１    フレームとしてのプラスチックフレーム
１３    側壁としての嵌合片部
１７    溝部としての挿通溝部
１９    貫通孔としてのねじ止め孔
２１    補強部材としての補強プレート
２４    縁部としての挿通片部
３１    ベゼル
３４    側壁としての外周片部
３５    貫通孔としてのねじ挿入孔
【図１】
2004258291.tif 000003
【図２】
2004258291.tif 000004
【図３】
2004258291.tif 000005
【図４】
2004258291.tif 000006